(57)【要約】【課題】長時間の一時停止が発生した場合でも、再生に影響を及ぼさないことができる光ディスク装置、光ディスク記録再生方法、光ディスク記録再生プログラムおよび光ディスク記録再生プログラムを格納した記録媒体を提供する。【解決手段】光ディスク１２の再生中にポーズされた場合、所定時間Ｔを超えてポーズが継続した場合は、ポーズによって繰り返しトレースされている区間を交替領域に格納し、管理情報であるＴＤＭＡを更新して、その後はポーズ開始位置Ｓｐでポーズを継続する。【選択図】図４
2011150743.tif 000002
【特許請求の範囲】
【請求項１】
記録領域及び交替領域並びに前記記録領域に対して行われた交替処理の情報が記録される管理領域を有した光ディスクからデータを読み込み再生する再生手段と、前記光ディスクに情報を記録する記録手段と、を備えた光ディスク装置において、
前記再生手段に対して再生の一時停止要求が行われた後に所定時間経過したか否かを判断し、前記所定時間経過したと判断した場合は、前記記録手段に対して、前記一時停止が要求された前記光ディスク上の位置から一定区間のデータを前記交替領域に記録させ、前記一定区間に対する交替処理が行われたことを前記管理領域に記録させる一時停止制御手段を備えたことを特徴とする光ディスク装置。
【請求項２】
前記一時停止制御手段が、前記交替処理が終了したことを検出した際は、前記再生手段に当該一時停止が要求された位置に戻って一時停止を継続させることを特徴とする請求項１に記載の光ディスク装置。
【請求項３】
前記一定区間の情報を格納する格納手段を備え、
前記一時停止制御手段が、前記一時停止が解除された際の再生再開位置が前記一定区間に含まれると判断した場合は、前記格納手段に格納した前記一定区間の情報を読み出して前記再生手段に再生させることを特徴とする請求項１または２に記載の光ディスク装置。
【請求項４】
前記一時停止制御手段が、前記一時停止が要求された位置よりも前記光ディスク上で前に記録されている所定位置から前記一時停止が要求された位置までの一定区間を走査するように制御することを特徴とする請求項１または２に記載の光ディスク装置。
【請求項５】
前記交替処理が行われた前記一定区間の先頭位置を記憶する記憶手段を備え、
前記一時停止制御手段は、前記再生手段に対して再生の一時停止要求が行われた際に、その一時停止位置が前記記憶手段に格納された前記先頭位置の近傍であるか否か判断し、近傍にあると判断した場合は、前記再生手段に前記記憶手段に格納された前記先頭位置で一時停止を行わせることを特徴とする請求項１乃至４のうちいずれか一項に記載の光ディスク装置。
【請求項６】
記録領域及び交替領域並びに前記記録領域に対して行われた交替処理の情報が記録される管理領域を有した光ディスクからデータを読み込み再生および前記光ディスクに情報の記録を行う光ディスク記録再生方法において、
再生の一時停止要求が行われた後に所定時間経過したか否かを判断し、前記所定時間経過したと判断した場合は、前記一時停止が要求された前記光ディスク上の位置から一定区間のデータを前記交替領域に記録し、前記一定区間に対する交替処理が行われたことを前記管理領域に記録することを特徴とする光ディスク記録再生方法。
【請求項７】
記録領域及び交替領域並びに前記記録領域に対して行われた交替処理の情報が記録される管理領域を有した光ディスクからデータを読み込み再生する再生手段と、前記光ディスクに情報を記録する記録手段と、を備えた光ディスク装置のコンピュータを、
前記再生手段に対して再生の一時停止要求が行われた後に所定時間経過したか否かを判断し、前記所定時間経過したと判断した場合は、前記記録手段に対して、前記一時停止が要求された前記光ディスク上の位置から一定区間のデータを前記交替領域に記録させ、前記一定区間に対する交替処理が行われたことを前記管理領域に記録させる一時停止制御手段として機能させることを特徴とする光ディスク記録再生プログラム。
【請求項８】
請求項７に記載の光ディスク記録再生プログラムを格納したことを特徴とするコンピュータ読み取り可能な記録媒体。
【発明の詳細な説明】
【技術分野】
【０００１】
本発明は、光ディスクを記録再生可能な光ディスク装置、光ディスク記録再生方法、光ディスク記録再生プログラムおよび光ディスク記録再生プログラムを格納した記録媒体に関する。
【背景技術】
【０００２】
例えばＢＤ−Ｒ（Blu-ray Disc Recordable）やＢＤ−ＲＥ（Blu-ray Disc Rewritable）などのように記録可能とされる光ディスクが知られている。この種の光ディスクは、レーザービームの照射により光ディスクの情報記録面を局所的に加熱して所望の情報を記録する。
【０００３】
そして、再生時においては、光量を小さくしてレーザービームを照射することにより、熱による情報記録面の変化を防止しつつ、情報記録面の局所的な変化による戻り光の光量変化を検出し、これにより光ディスクに記録されたデータを再生する。
【０００４】
ところで光ディスクにおいては、再生時にレーザービームの光量を小さくしても、僅かながらではあるものの、温度上昇を避け得ない。これに対してホスト装置より一時停止命令が入力された場合、光ディスク装置では、トラックジャンプを繰り返して同一箇所を繰り返し走査することになる。そのため、一時停止が長時間放置されると、繰り返し再生する部位における蓄熱により、記録マークが劣化して、この部位の再生が正常に行えなくなってしまうという問題があった。
【０００５】
上述した問題に対して、例えば、特許文献１に記載された光ディスク装置や特許文献２に記載された記録再生装置が提案されている。特許文献１に記載された光ディスク装置は、一時停止が所定時間経過した際には、所定領域における走査を中止している。特許文献２に記載された記録再生装置は、一時停止が行われる際は、非記録エリア、ＲＯＭゾーン、バッファゾーンのうち、一時停止が指定された位置から最も近い領域で一時停止の走査を行っている。
【先行技術文献】
【特許文献】
【０００６】
【特許文献１】特開２００２−３４２９５０号公報
【特許文献２】特開２００２−３３４４５２号公報
【発明の概要】
【発明が解決しようとする課題】
【０００７】
しかしながら、特許文献１に記載された光ディスク装置では、同じ位置で一時停止を何度も繰り返すと、結局記録マークの劣化は発生してしまうという問題がある。また、特許文献２に記載された記録再生装置は、一時停止の度に非記録エリア、ＲＯＭゾーン、バッファゾーンへのサーチが発生してしまい再生復帰に時間がかかるという問題がある。さらに、特許文献２に記載された記録再生装置は、非記録エリアで一時停止の走査を行った後、非記録エリアへの記録動作を行おうとすると、そのエリアおける長時間の一時停止の影響で正確に記録できない可能性がある。
【０００８】
そこで、本発明は、例えば、長時間の一時停止が発生した場合でも、再生に影響を及ぼさなくできる光ディスク装置、光ディスク記録再生方法、光ディスク記録再生プログラムおよび光ディスク記録再生プログラムを格納した記録媒体を提供することを課題とする。
【課題を解決するための手段】
【０００９】
上記課題を解決するために、請求項１に記載の光ディスク装置は、記録領域及び交替領域並びに前記記録領域に対して行われた交替処理の情報が記録される管理領域を有した光ディスクからデータを読み込み再生する再生手段と、前記光ディスクに情報を記録する記録手段と、を備えた光ディスク装置において、前記再生手段に対して再生の一時停止要求が行われた後に所定時間経過したか否かを判断し、前記所定時間経過したと判断した場合は、前記記録手段に対して、前記一時停止が要求された前記光ディスク上の位置から一定区間のデータを前記交替領域に記録させ、前記一定区間に対する交替処理が行われたことを前記管理領域に記録させる一時停止制御手段を備えたことを特徴としている。
【００１０】
請求項６に記載の光ディスク記録再生方法は、記録領域及び交替領域並びに前記記録領域に対して行われた交替処理の情報が記録される管理領域を有した光ディスクからデータを読み込み再生および前記光ディスクに情報の記録を行う光ディスク記録再生方法において、再生の一時停止要求が行われた後に、所定時間経過したか否かを判断し、前記所定時間経過したと判断した場合は、前記一時停止が要求された前記光ディスク上の位置から一定区間のデータを前記交替領域に記録し、前記一定区間に対する交替処理が行われたことを前記管理領域に記録することを特徴としている。
【００１１】
請求項７に記載の光ディスク記録再生プログラムは、記録領域及び交替領域並びに前記記録領域に対して行われた交替処理の情報が記録される管理領域を有した光ディスクからデータを読み込み再生する再生手段と、前記光ディスクに情報を記録する記録手段と、を備えた光ディスク装置のコンピュータを、前記再生手段に対して再生の一時停止要求が行われた後に所定時間経過したか否かを判断し、前記所定時間経過したと判断した場合は、前記記録手段に対して、前記一時停止が要求された前記光ディスク上の位置から一定区間のデータを前記交替領域に記録させ、前記一定区間に対する交替処理が行われたことを前記管理領域に記録させる一時停止制御手段として機能させることを特徴としている。
【図面の簡単な説明】
【００１２】
【図１】本発明の第１の実施例にかかる光ディスク記録再生装置のブロック図である。
【図２】図１に示された光ディスク再生装置で再生される光ディスクのデータ構造を示した説明図である。
【図３】交替処理の説明図である。
【図４】図１に示された光ディスク再生装置における一時停止動作のフローチャートである。
【図５】図１に示された光ディスク記録再生装置の一時停止時における光ディスク内の走査区間の説明図である。
【図６】本発明の第２の実施例にかかる光ディスク再生装置の一時停止時における光ディスク内の走査区間の説明図である。
【図７】図６に示された光ディスク記録再生装置の一時停止時における光ディスク内の走査区間の説明図である。
【発明を実施するための形態】
【００１３】
以下、本発明の一実施形態にかかる光ディスク装置を説明する。本発明の一実施形態にかかる光ディスク装置は、一時停止制御手段が、再生の一時停止要求が行われた後に、所定時間経過したか判断して所定時間経過した場合は、記録手段に一時停止が要求された位置から一定区間のデータを光ディスクの交替領域に記録させ、交替処理が行われたことを光ディスクの管理領域に記録させているので、長時間一時停止が行われた区間のデータは交替処理によって交替領域に記録し、その後当該領域を再生する際には交替領域にアクセスするために、一時停止時に走査している部分の記録マークが劣化しても、その後の再生に影響を及ぼさない。
【００１４】
また、一時停止制御手段が、交替処理が終了した際は、再生手段に当該一時停止が要求された位置に戻って一時停止を継続させているので、一時停止が要求された位置から一定区間の領域以外で記録マークが劣化するのを防ぐことができる。
【００１５】
また、一定区間の情報を格納する格納手段を備え、一時停止制御手段が、一時停止が解除された際の再生再開位置が前記一定区間に含まれると判断した場合は、格納手段に格納した一定区間の情報を読み出して再生手段に再生させているので、再生開始位置から復帰する際に交替領域へのシークを伴わず速やかな再生復帰をすることができる。
【００１６】
また、前記一時停止制御手段が、一時停止が要求された位置よりも前記光ディスク上で前に記録されている所定位置から一時停止が要求された位置までの一定区間を走査するように制御するので、ポーズ位置で速やかに再生再開することができる。
【００１７】
また、交替処理が行われた一定区間の先頭位置を記憶する記憶手段を備え、一時停止制御手段は、再生手段に対して再生の一時停止要求が行われた際に、その一時停止位置が記憶手段に格納された先頭位置の近傍であると判断した場合は、再生手段に記憶手段に格納された先頭位置で一時停止を行わせるので、一度一時停止による交替処理を行った位置の近傍で一時停止を行う際は、再度の交替処理を行わずに一時停止をすることができ、交替領域に重複して同じ領域のデータが記録されることや、再度の交替処理を行う時間を無くすことができる。
【００１８】
また、本発明の一実施形態にかかる光ディスク記録再生方法は、再生の一時停止要求が行われた後に、所定時間経過したか判断して所定時間経過した場合は、一時停止が要求された位置から一定区間のデータを光ディスクの交替領域に記録し、交替処理が行われたことを光ディスクの管理領域に記録するので、長時間一時停止が行われた区間のデータは交替処理によって交替領域に記録し、その後当該領域を再生する際には交替領域にアクセスするために、一時停止時に走査している部分の記録マークが劣化しても、その後の再生に影響を及ぼさない。
【００１９】
また、本発明の一実施形態にかかる光ディスク記録再生プログラムは、一時停止制御手段が、再生の一時停止要求が行われた後に、所定時間経過したか判断して所定時間経過した場合は、記録手段に対して一時停止が要求された位置から一定区間のデータを光ディスクの交替領域に記録させ、交替処理が行われたことを光ディスクの管理領域に記録させているので、長時間一時停止が行われた区間のデータは交替処理によって交替領域に記録し、その後当該領域を再生する際には交替領域にアクセスするために、一時停止時に走査している部分の記録マークが劣化しても、その後の再生に影響を及ぼさない。
【００２０】
また、上述した光ディスク記録再生プログラムをコンピュータ読み取り可能な記録媒体に格納してもよい。このようにすることにより、光ディスク記録再生プログラムを機器に組み込む以外に単体でも流通させることができ、バージョンアップ等も容易に行える。
【実施例１】
【００２１】
本発明の第１の実施例にかかる光ディスク装置１を図１乃至図５を参照して説明する。光ディスク装置１は、図１に示すようにディスクモータ２と、光ピックアップ３と、キャリッジモータ４と、リードスクリュー５と、ＲＦアンプ６と、サーボ信号処理部７と、ドライバ８と、音声／映像信号処理部９と、バッファ１０と、マイクロコンピュータ１１と、を備えている。
【００２２】
ディスクモータ２は、光ディスク装置１にセットされた光ディスク１２を回転させるためのモータであり、スピンドルモータなどで構成されている。
【００２３】
光ピックアップ３は、光ディスク１２に照射するレーザ光を発生させるレーザダイオードや、光ディスク１２上にレーザダイオードからのレーザ光を集光するための対物レンズ、サーボ信号処理部７からの信号によりフォーカス方向やトラッキング方向に対物レンズを駆動するためのアクチュエータおよび光ディスク１２から反射された反射光を受けるフォトダイオードや、レーザ光を対物レンズへ導いたり、反射光を受光器へ導く光学系などを備え、フォトダイオードの出力から光ディスク１２に記録されている映像や音楽などのトラックデータを含むＲＦ信号やフォーカスエラー信号およびトラッキングエラー信号などを生成しＲＦアンプ６へ出力する。また、ドライバ８から入力される記録データをレーザ光に変換して光ディスク１２に対して記録を行う。
【００２４】
キャリッジモータ４は、後述するリードスクリュー５を通じて光ピックアップ３を光ディスク１２の径方向に移動させるためのモータでありステッピングモータなどで構成されている。
【００２５】
リードスクリュー５は、円柱状に形成されてその外周面にネジ溝とネジ山が形成され、光ディスク１２の径方向と平行に設置されている。リードスクリュー５は、キャリッジモータ４の回転軸と機械的に接続されておりキャリッジモータ４の回転に合わせて回転する。リードスクリュー５のネジ溝やネジ山は光ピックアップ３に形成された図示しないネジ山やネジ溝と噛み合っており、リードスクリュー５が回転することで光ピックアップ３が光ディスク１２の径方向に沿って移動する。
【００２６】
ＲＦアンプ６は、光ピックアップ３から入力される信号を所定の値に増幅し、サーボ信号処理部７へ出力する。
【００２７】
サーボ信号処理部７は、ＲＦアンプ６から入力されるフォーカスエラー信号やトラッキングエラー信号などの制御信号を基に光ピックアップ３のアクチュエータを駆動させてフォーカスおよびトラッキングの制御などを行い光ディスク１２に記録された情報を正確に読めるようにする。また、入力されたフォーカスエラー信号のレベルをマイクロコンピュータ１１へ出力する。さらに、光ディスク１２に記録された映像や音楽などを含むＲＦ信号をアナログ／デジタル変換して音声／映像信号処理部９へ出力し、音声／映像信号処理部９から入力される記録データをアナログ信号に変換してドライバ８へ出力する。
【００２８】
ドライバ８は、サーボ信号処理部７から入力された信号からディスクモータ２および光ピックアップ３のアクチュエータおよびキャリッジモータ４への駆動信号の生成や記録データを出力する。
【００２９】
音声／映像信号処理部９は、サーボ信号処理部７から入力された信号にエラー訂正などを行った後復調やデコードを行いバッファ１０へ出力する。そしてマイクロコンピュータ１１からの要求に従ってバッファ１０から読み出してホストコンピュータ２０へ出力する。また、ホストコンピュータ２０などから入力された記録データを記録フォーマットに変換してサーボ信号処理部７に出力する。
【００３０】
ここで、ディスクモータ２、光ピックアップ３、キャリッジモータ４、リードスクリュー５、ＲＦアンプ６、サーボ信号処理部７、ドライバ８、音声／映像信号処理部９で光ディスク１２からデータを読み取って再生する再生手段および光ディスク１２に情報を記録する記録手段としての記録再生部１５を構成する。
【００３１】
バッファ１０は、振動などによって再生が途切れないように所定量一時的に音声／映像信号処理部９で再生された映像や音声などのデータを格納するためのメモリであり、半導体メモリで構成される。バッファ１０には光ディスク１２から通常の数倍速の再生速度で読み込んだデータを格納し、通常の再生速度で出力する。
【００３２】
一時停止制御手段としてのマイクロコンピュータ１１は、ＣＰＵ（Central Processing Unit）と、ＲＡＭ（Random Access Memory）１１ａと、図示しないＲＯＭ（Read Only Memory）とを内蔵し、ホストコンピュータ２０からの命令に基づいて光ディスク１２の挿入や排出、再生や停止および一時停止などの各操作における光ディスク装置１全体の制御など行う。マイクロコンピュータ１１は、本実施例においては、一時停止時の停止時間を計測し、その時間が長時間行われている場合は、記録再生部１５に交替処理を行わせる。
【００３３】
本実施例では一時停止がホストコンピュータ２０から命令された場合、所定時間以上一時停止を行ったときは交替処理を行って、当該一時停止時に走査していたデータを交替領域に書き込み、以後その一時停止位置は交替処理がなされた領域として扱う。詳細動作はフローチャートにて後述するが、まず、前段階として光ディスク１２の構造と交替処理について説明する。光ディスク１２の構造を図２に示す。光ディスク１２は記録可能な光ディスクであり図２はＢＤ−Ｒの例である。光ディスク１２は図２に示すように内周側からリードインゾーン、データゾーン、リードアウトゾーンが配される。
【００３４】
リードインゾーンには、主に管理／制御情報領域として用いられ、ＴＤＭＡ０（ＴＤＭＡ：Temporary Disc Management Area）などの所定の領域フォーマットが設定される。
【００３５】
管理／制御情報領域内には、欠陥管理のための交替管理情報が記録される。交替処理を利用してデータ書き換えを可能にするためには、データ書き換えに応じて交替管理情報の内容も更新されていかなければならない。さらには、追記が行われることに応じてデータの記録構造についての管理情報なども更新されていかなければならない。このため、これらの管理情報を更新するためのＴＤＭＡと呼ばれる領域が設けられる。この場合、前記のような交替及びデータ記録構造などについての管理情報（以下単に管理情報とも呼ぶ）は、ＴＤＭＡ０から順に追加記録されて更新されていく。詳しくは後述するが、ＴＤＭＡ０が管理情報の更新のために使い切られた場合は、さらなる管理情報の書き込み領域としてのＴＤＭＡ１、ＴＤＭＡ２に追記を行うことができる。
【００３６】
データゾーンには、その最内周側にＩＳＡ（Inner Spare Area）が、また最外周側にＯＳＡ（Outer Spare Area）が設けられる。このＩＳＡ、ＯＳＡが、欠陥による交替処理に用いる交替領域とされる。ＩＳＡはデータゾーンの開始位置から所定数のクラスタサイズで形成される。ＯＳＡはデータゾーンの終了位置から内周側へ所定数のクラスタサイズで形成される。そしてデータゾーンにおいてＩＳＡとＯＳＡに挟まれた区間がユーザデータ領域とされる。このユーザデータ領域が通常のユーザデータの記録再生に用いられる領域（記録領域）である。
【００３７】
リードアウトゾーンは、管理／制御情報領域とされ、リードインゾーンと同様に各種の管理／制御情報が記録される。
【００３８】
図２に示したように、リードインゾーンには、ＴＤＭＡ０が形成される。また、スペアエリア（ＩＳＡ、ＯＳＡ）内には、図示したようにＴＤＭＡ１、ＴＤＭＡ２を設けることができる。具体的に、ＴＤＭＡ１はＩＳＡ内に設定可能とされ、ＴＤＭＡ２はＯＳＡ内に設定可能とされる。これらＴＤＭＡ１、ＴＤＭＡ２としては、リードインゾーン内に設けられるＴＤＭＡ０が管理情報の更新のために使い切られた場合の、新たな管理情報の記録のための領域として設定することができる。つまり、この図に示されるようにしてＴＤＭＡ１、ＴＤＭＡ２の２つが設けられる場合、管理情報の更新は、ＴＤＭＡ０→ＴＤＭＡ１→ＴＤＭＡ２の順で行われる。即ち、これらＴＤＭＡ１、ＴＤＭＡ２はサイズ０の場合もあり得る。スペアエリアのＴＤＭＡ１、ＴＤＭＡ２以外の領域は交替処理によってユーザデータ領域に記録させているデータを記録する領域（交替領域）となる。
【００３９】
以上説明したように、光ディスク１２では、ＴＤＭＡに交替処理の管理情報が記録される管理領域となる。
【００４０】
次に、交替処理について図３を用いて説明する。交替処理とはユーザデータ領域に欠陥セクタなどがある場合、本来そのセクタに記録する予定だったデータを交替領域に記録し、欠陥セクタのアドレスや交替領域のアドレスなどの交替情報をＴＤＭＡに記録し、データを読み込むときに、欠陥セクタにアクセスした際には交替情報を参照して交替領域からデータを読み込む処理である。図３の場合、ユーザデータ領域のセクタ１からセクタ９までのうち欠陥セクタがセクタ３とセクタ７であり、それぞれに対応する交替セクタが交替領域内のセクタＣとセクタＦであったとすると、セクタ１から順次アクセスする場合には、セクタ１、２、Ｃ、４、５、６、Ｆ、８、９の順にアクセスされる。
【００４１】
次に、上述した構成の光ディスク装置１における再生中に一時停止（ポーズ）した場合の動作を図４のフローチャートを参照して説明する。図４に示したフローチャートはマイクロコンピュータ１１で実行される。
【００４２】
まず、ステップＳ１において、光ディスク装置１にセットされている光ディスク１２がＢＤ−ＲまたはＢＤ−ＲＥであるか否かを判断し、ＢＤ−ＲまたはＢＤ−ＲＥである場合（Ｙｅｓの場合）はステップＳ２に進み、そうでない場合（Ｎｏの場合）はステップＳ８に進む。なお、本実施例はＢＤ−ＲまたはＢＤ−ＲＥを例に説明するが、それ以外の種別の光ディスクでも、交替領域を持ち交替処理が可能であれば適用可能である。したがって、本ステップでは交替処理が可能なディスクか否かの判断をしている。
【００４３】
次に、ステップＳ２において、ポーズ開始時間Ｓｔを取得しステップＳ３に進む。ポーズ開始時間Ｓｔは、ホストコンピュータ２０からのポーズ命令（要求）が行われた時点のマイクロコンピュータ１１内で動作している時計機能における時刻から取得する。
【００４４】
次に、ステップＳ３において、ポーズ開始位置Ｓｐを取得しステップＳ４に進む。ポーズ開始位置Ｓｐは、ポーズ開始時の記録再生部１５が光ディスク１２にアクセスしていた光ディスク１２のアドレスを取得する。
【００４５】
次に、ステップＳ４において、ポーズ開始位置Ｓｐからｎトラック分をトレース（走査）し、トレース中のデータをリードしてバッファ（格納手段）としてＲＡＭ１１ａに格納してステップＳ５に進む。ポーズ中の光ディスク１２内の動作を図５に示す。光ディスク１２は、図５に示したようにトラックが螺旋状に設けられている。通常ポーズ中は、例えばｎ本（ｎは１以上の自然数）トラックが進んだらトラックジャンプしてｎ本前に戻るような動作を繰り返している。図５の場合はＳ１点でポーズされた場合Ｅ点まで進んだら１本トラックジャンプしてＳ１点に戻っている。つまり、Ｅ点は通常再生時にＳ１点よりも後に再生されるべき位置にある。
【００４６】
図５に示したように、ポーズ中はＳ１点からＥ点までのトラックのトレースを繰り返すので長時間ポーズするとＳ１点からＥ点までの記録マークが劣化してしまう。そのため、後述する交替処理に対応するためにＲＡＭ１１ａなどのバッファにＳ１点からＥ点までのデータを格納している。なお、このＳ１点からＥ点までのデータを格納するバッファはＲＡＭ１１ａでなく音声／映像信号処理部９に接続されているバッファ１０を用いてもよい。
【００４７】
次に、ステップＳ５において、現在時刻からポーズ開始時間Ｓｔを減算してその減算した時間が所定時間Ｔを超えたか否かを判断し、超えた場合（Ｙｅｓの場合）はステップＳ６に進み、そうでない場合（Ｎｏの場合）はステップＳ９に進む。つまり、ポーズ時間が所定時間Ｔを超えたか否かを判断している。所定時間Ｔは、記録マークが劣化しない程度の範囲で適宜設定すればよい。
【００４８】
次に、ステップＳ６において、バッファに格納されているポーズ範囲のデータをＳｐａｒｅ  Ａｒｅａ（交替領域）に記録し、ＴＤＭＡを更新してステップＳ７に進む。これは、ＲＡＭ１１ａにステップＳ４で格納したデータを読み出して記録再生手段１５に交替領域に記録させるとともに、ＴＤＭＡの更新を行わせている。つまり、本ステップでは、所定時間Ｔを超えたのでポーズ時の走査範囲に対して交替処理を行っている。即ち、所定時間Ｔ経過したと判断した場合は、記録再生手段１５に対してポーズが要求された光ディスク１２上の位置から一定区間のデータを交替領域に記録させ、一定区間に対する交替処理が行われたことをＴＤＭＡに記録させている。
【００４９】
次に、ステップＳ７において、ポーズ開始位置Ｓｐに戻ってステップＳ８に進む。即ち、交替処理が終了した際は、ポーズ開始位置にてポーズを継続させている。
【００５０】
次に、ステップＳ８において、ポーズが解除されたか否かを判断し、解除された場合（Ｙｅｓの場合）はステップＳ１４に進み、解除されていない場合（Ｎｏの場合）はステップＳ１２に進む。
【００５１】
一方、ステップＳ９においては、ポーズが解除されたか否かを判断し、解除された場合（Ｙｅｓの場合）はステップＳ１６に進み、解除されていない場合（Ｎｏの場合）はステップＳ１０に進む。
【００５２】
次に、ステップＳ１０において、ｎトラックジャンプバックしてステップＳ１１に進む。本ステップでは、ｎトラックトレースした位置からｎトラック分バックする、つまり、ポーズ開始位置Ｓｐ（図５ではＳ１点）に戻っている。
【００５３】
次に、ステップＳ１１において、ｎトラックトレースしてステップＳ５に戻る。つまり、ポーズ開始位置Ｓｐから再度ｎトラック分トレースする。
【００５４】
ステップＳ１２においては、ｎトラックジャンプバックしてステップＳ１３に進む。本ステップでは、ステップＳ１０と同様にｎトラックトレースした位置からｎトラック分バックする、つまり、ポーズ開始位置Ｓｐに戻っている。
【００５５】
次に、ステップＳ１３において、ｎトラックトレースしてステップＳ８に戻る。つまり、ポーズ開始位置Ｓｐから再度ｎトラック分トレースする。
【００５６】
ステップＳ１４においては、光ディスク１２上の再生開始位置Ｓ２がポーズ範囲（図５のＳ１点〜Ｅ点）に含まれるか否かを判断し、含まれる場合（Ｙｅｓの場合）はステップＳ１５に進み、含まれない場合（Ｎｏの場合）はステップＳ１６に進む。本ステップにおいては、ポーズ中に他のトラックの再生指令などによって再生再開位置がＳ１点から異なる位置に移動したかを判断している。つまり、Ｓ１点〜Ｅ点のトレースする範囲に含まれる場合とはポーズ中にトラックの移動等が無かった場合であり、含まれない場合はポーズ中にトラックの移動等があった場合である。
【００５７】
次に、ステップＳ１５において、バッファに記憶したポーズ範囲のデータを読み出して再生し、それ以降は光ディスク１２から再生する。本ステップでは、ステップＳ４でバッファに格納したＳ１点〜Ｅ点のデータを音声／映像信号処理部９へ出力して再生する。このようにすることで、再生開始位置Ｓ２から復帰する際に交替領域へのシークを伴わず速やかな再生復帰をすることができる。そしてＥ点以降のデータは光ディスク１２から読み出して通常再生を行う。即ち、ポーズが解除された際の再生再開位置Ｓ１がトレースしている一定区間に含まれると判断した場合は、ＲＡＭ１１ａに格納した一定区間のデータを読み出して再生させている。
【００５８】
次に、ステップＳ１６において、光ディスク１２上の再生位置Ｓ２から再生を再開する。
【００５９】
本実施例によれば、光ディスク１２の再生中にポーズされた場合、所定時間Ｔを超えてポーズが継続した場合は、ポーズによって繰り返しトレースされている区間を交替領域に格納し、管理情報であるＴＤＭＡを更新しているので、その後繰り返しトレースされていた区間を再生する際には交替領域にアクセスするために、ポーズ時にトレースしている部分の記録マークが劣化しても、その後の再生に影響を及ぼさない。
【００６０】
また、交替処理が終了した際は、ポーズによって繰り返しトレースされている区間でポーズを継続させ、一時停止が要求された位置から一定区間の領域以外で記録マークが劣化するのを防ぐことができる。
【００６１】
また、再生再開位置Ｓ２がトレースされている区間に含まれる場合は、ＲＡＭ１１ａに格納したトレース区間のデータを再生させているので、再生再開位置が劣化していても交替処理によるとシーク動作を伴わずに速やかに再生動作を再開することができる。
【実施例２】
【００６２】
次に、本発明の第２の実施例にかかる光ディスク装置１を図６および図７を参照して説明する。なお、前述した第１の実施例と同一部分には、同一符号を付して説明を省略する。
【００６３】
第１の実施例では、ポーズ時にはポーズ位置Ｓ１点から通常後に再生されるべき位置であるＥ点までトレースしていたが、本実施例では、図６に示したように、通常再生時にポーズ位置Ｓ１点よりも前に再生されるべき位置であるＦ点からＳ１点までをトレースするように動作させる点が異なる。
【００６４】
本実施例における再生中にポーズした場合の動作を図７のフローチャートを参照して説明する。図７のステップＳ１〜Ｓ１３までは第１の実施例と同様である。
【００６５】
ステップＳ８がＹｅｓの場合に進んだステップＳ２１においては、再生再開位置Ｓ２がポーズ範囲（図６のＦ点〜Ｓ１点）に含まれるか否かを判断し、含まれる場合（Ｙｅｓの場合）はステップＳ２２に進み、含まれない場合（Ｎｏの場合）はステップＳ２３に進む。本ステップにおいても、第１の実施例のステップＳ１４と同様にポーズ中に他のトラックの再生指令などによって再生再開位置がＳ１点から異なる位置に移動したかを判断している。つまり、Ｆ点〜Ｓ１点のトレースする範囲に含まれる場合とはポーズ中にトラックの移動等があった場合であり、含まれない場合はポーズ中にトラックの移動等が無かった場合である。通常Ｓ１点でポーズしてその位置で再生復帰する場合はＳ１点の次に記録されているデータから再生を再開するため、本実施例の場合はＳ１点での再生復帰の場合はトレース範囲に含まれない。
【００６６】
次に、ステップＳ２２において、交替領域に記録したデータを読み出して再生し、以降は通常再生を行う。
【００６７】
次に、ステップＳ２３において、光ディスク１２上の再生位置Ｓ２から再生を再開する。
【００６８】
本実施例によれば、ポーズ時には、ポーズ開始位置Ｓ１点よりも通常前に再生されるべき位置であるＦ点からＳ１点までをトレースするように動作させているので、ポーズ位置Ｓ１で再生再開する際には速やかに再生再開することができる。
【００６９】
なお、上述した長時間ポーズに伴う交替処理が発生した場合、そのポーズ開始位置Ｓｐを例えば記憶手段としてのＲＡＭ１１ａに格納し、その後の再生動作において、ポーズが指示された場合、そのポーズ位置がＲＡＭ１１ａに格納したポーズ開始位置Ｓｐの近傍にある場合は、近傍にあるポーズ開始位置Ｓｐからの区間でポーズ動作を行ってもよい。具体的には、マイクロコンピュータ１１が、ポーズ指示された時点での再生位置を記録再生部１５から取得して、その位置をＲＡＭ１１ａ内のポーズ開始位置Ｓｐと比較し、当該位置の近傍にポーズ開始位置Ｓｐがあるか否かを判断して、あった場合は、そのポーズ開始位置Ｓｐでポーズするように記録再生部１５に指示する。このようにすることにより、交替処理を行う時間を節約できるとともに、交替処理によって格納されるデータが重複して同じ領域のデータが記録されることができる。なお、近傍の範囲は再生復帰する際に遅く感じない範囲で適宜設定すればよい。
【００７０】
前述した実施例によれば、以下の光ディスク装置１、光ディスク記録再生方法および光ディスク記録再生プログラムが得られる。
【００７１】
（付記１）ユーザデータ領域及び交替領域並びにユーザデータ領域に対して行われた交替処理の情報が記録されるＴＤＭＡを有した光ディスク１２からデータを読み込み再生する記録再生部１５と、光ディスク１２に情報を記録する記録再生部１５と、を備えた光ディスク装置１において、
記録再生部１５に対して再生のポーズ要求が行われた後に所定時間Ｔ経過したか否かを判断し、所定時間Ｔ経過したと判断した場合は、記録再生手段１５に対して、ポーズが要求された光ディスク１２上の位置から一定区間のデータを交替領域に記録させ、一定区間に対する交替処理が行われたことをＴＤＭＡに記録させるマイクロコンピュータ１１を備えたことを特徴とする光ディスク装置１。
【００７２】
この光ディスク装置１によれば、長時間ポーズが行われた区間のデータは交替処理によって交替領域に記録し、その後当該領域を再生する際には交替領域にアクセスするために、ポーズ時に走査している部分の記録マークが劣化しても、その後の再生に影響を及ぼさない。
【００７３】
（付記２）ユーザデータ領域及び交替領域並びにユーザデータ領域に対して行われた交替処理の情報が記録されるＴＤＭＡを有した光ディスク１２からデータを読み込み再生および光ディスク１２に情報の記録を行う光ディスク記録再生方法において、
再生のポーズ要求が行われた後に所定時間Ｔ経過したか否かを判断し、所定時間Ｔ経過したと判断した場合は、ポーズが要求された光ディスク１２上の位置から一定区間のデータを交替領域に記録し、一定区間に対する交替処理が行われたことをＴＤＭＡに記録することを特徴とする光ディスク記録再生方法。
【００７４】
この光ディスク記録再生方法によれば、長時間ポーズが行われた区間のデータは交替処理によって交替領域に記録し、その後当該領域を再生する際には交替領域にアクセスするために、ポーズ時に走査している部分の記録マークが劣化しても、その後の再生に影響を及ぼさない。
【００７５】
（付記３）ユーザデータ領域及び交替領域並びにユーザデータ領域に対して行われた交替処理の情報が記録されるＴＤＭＡを有した光ディスク１２からデータを読み込み再生する記録再生部１５と、光ディスク１２に情報を記録する記録再生部１５と、を備えた光ディスク装置１のコンピュータを、
記録再生部１５に対して再生のポーズ要求が行われた後に所定時間Ｔ経過したか否かを判断し、所定時間Ｔ経過したと判断した場合は、記録再生部１５に対して、ポーズが要求された光ディスク１２上の位置から一定区間のデータを交替領域に記録させ、一定区間に対する交替処理が行われたことをＴＤＭＡに記録させるマイクロコンピュータ１１として機能させることを特徴とする光ディスク記録再生プログラム。
【００７６】
この光ディスク記録再生プログラムによれば、長時間ポーズが行われた区間のデータは交替処理によって交替領域に記録し、その後当該領域を再生する際には交替領域にアクセスするために、ポーズ時に走査している部分の記録マークが劣化しても、その後の再生に影響を及ぼさない。
【００７７】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００７８】
１        光ディスク装置
１１      マイクロコンピュータ（一時停止制御手段）
１１ａ    ＲＡＭ（格納手段、記憶手段）
１２      光ディスク
１５      記録再生部（再生手段、記録手段）
【図１】
2011150743.tif 000003
【図２】
2011150743.tif 000004
【図３】
2011150743.tif 000005
【図４】
2011150743.tif 000006
【図５】
2011150743.tif 000007
【図６】
2011150743.tif 000008
【図７】
2011150743.tif 000009